【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
三種類以上の色数により構成される標準色インク、及び二種類以上の前記標準色インクを混合して得られる一種類以上の特色インクが用いられる画像形成であり、インクジェット方式による画像形成に適用されるカラープロファイルを作成するカラープロファイル作成方法であって、
標準色を表す第１標準色信号であり、インク総量制限条件が非適用の第１標準色信号から、インク総量制限条件が適用された第２標準色信号への変換関係を規定する第１テーブルを作成する第１テーブル作成工程と、
前記第１テーブルから出力される第２標準色信号から、前記第２標準色信号、及び複数の標準色信号が混合された特色信号を一種類以上含む第１拡張色信号であり、前記インク総量制限条件が適用された第１拡張色信号への変換関係を規定した第２テーブルを作成する第２テーブル作成工程と、
前記第２テーブルから出力される前記第１拡張色信号を、前記第１拡張色信号に対応するデバイス非依存色空間における色信号へ変換することにより求められた、デバイス依存色空間における色信号からデバイス非依存色空間における色信号への変換関係に基づいて、前記第１拡張色信号のうち前記第２標準色信号に対応する前記デバイス非依存色空間における色信号から、前記デバイス依存色空間における色信号への変換関係を規定した第３テーブルを作成する第３テーブル作成工程と、
前記第３テーブルにより規定された変換関係、及び前記第２テーブルにより規定された変換関係を用いて、前記第１拡張色信号のうち前記第２標準色信号に対応する前記デバイス非依存色空間における色信号から、前記デバイス依存色空間における複数の標準色信号が混合された特色信号を一種類以上含む第２拡張色信号への変換関係を規定するカラープロファイルである第４テーブルを作成する第４テーブル作成工程と、
を含むカラープロファイル作成方法。
【請求項２】
前記第２テーブル作成工程は、特色信号を構成する標準色信号の最大値を特色信号の最大値へ置き換える規則を作成する特色成分信号値置換規則作成工程を含む請求項１に記載のカラープロファイル作成方法。
【請求項３】
前記第２テーブル作成工程は、特色信号に置き換えられる複数の標準色信号の間の混合比率を取得する混合比率取得工程を含み、
前記特色成分信号値置換規則作成工程は、前記取得された混合比率に基づいて複数の標準色信号を特色信号へ置き換える規則を作成する請求項２に記載のカラープロファイル作成方法。
【請求項４】
前記特色成分信号値置換規則作成工程は、彩度Ｓに対する複数の標準色信号の置換比率を規定する関数ｆ（Ｓ）を用いて複数の標準色信号を特色信号へ置き換える規則を作成する請求項２又は３に記載のカラープロファイル作成方法。
【請求項５】
前記関数ｆ（Ｓ）は、予め決められた彩度以下の低彩度領域では、ｆ（Ｓ）＝０となる関数である請求項４に記載のカラープロファイル作成方法。
【請求項６】
前記特色成分信号値置換規則作成工程は、色相Ｈに対する複数の標準色信号の置換比率を規定する関数ｇ（Ｈ）を用いて複数の標準色信号を特色信号へ置き換える規則を作成する請求項２から５のいずれか一項に記載のカラープロファイル作成方法。
【請求項７】
前記関数ｇ（Ｈ）は、予め決められた第１色相値以上第２色相値以下の領域では、ｇ（Ｈ）＝１となる関数である請求項６に記載のカラープロファイル作成方法。
【請求項８】
前記第１標準色信号、及び第２標準色信号は、シアンを表すシアン信号、マゼンタを表すマゼンタ信号、イエローを表すイエロー信号、及び黒を表す黒信号から構成される請求項１から７のいずれか一項に記載のカラープロファイル作成方法。
【請求項９】
前記第１拡張色信号、及び前記第２拡張色信号は、オレンジを表すオレンジ信号、グリーンを表すグリーン信号、及びバイオレットを表すバイオレット信号の少なくともいずれかを含む請求項８に記載のカラープロファイル作成方法。
【請求項１０】
三種類以上の色数により構成される標準色インク、及び二種類以上の前記標準色インクを混合して得られる一種類以上の特色インクが用いられる画像形成であり、インクジェット方式による画像形成に適用されるカラープロファイルを作成するカラープロファイル作成プログラムであって、
コンピュータを、標準色を表す第１標準色信号であり、インク総量制限条件が非適用の第１標準色信号から、インク総量制限条件が適用された第２標準色信号への変換関係を規定する第１テーブルを作成する第１テーブル作成手段、
前記第１テーブルから出力される第２標準色信号から、前記第２標準色信号、及び複数の標準色信号が混合された特色信号を一種類以上含む第１拡張色信号であり、前記インク総量制限条件が適用された第１拡張色信号への変換関係を規定した第２テーブルを作成する第２テーブル作成手段、
前記第２テーブルを用いて前記第２標準色信号を前記第１拡張色信号へ変換し、前記第１拡張色信号を前記第１拡張色信号に対応するデバイス非依存色空間における色信号へ変換することにより求められた、デバイス依存色空間における色信号からデバイス非依存色空間への変換関係に基づいて、前記第１拡張色信号のうち前記第２標準色信号に対応する前記デバイス非依存色空間における色信号から、前記デバイス依存色空間における色信号への変換関係を規定した第３テーブルを作成する第３テーブル作成手段、
前記第３テーブルにより規定された変換関係、及び前記第２テーブルにより規定された変換関係を用いて、前記第１拡張色信号のうち前記第２標準色信号に対応する前記デバイス非依存色空間における色信号から、前記デバイス依存色空間における複数の標準色信号が混合された特色信号を一種類以上含む第２拡張色信号への変換関係を規定するカラープロファイルである第４テーブルを作成する第４テーブル作成手段、
として機能させるカラープロファイル作成プログラム。
【手続補正２】
【補正対象書類名】明細書
【補正対象項目名】００２０
【補正方法】変更
【補正の内容】
【００２０】
上記目的を達成するために、第１態様は、三種類以上の色数により構成される標準色インク、及び二種類以上の標準色インクを混合して得られる一種類以上の特色インクが用いられる画像形成であり、インクジェット方式による画像形成に適用されるカラープロファイルを作成するカラープロファイル作成方法であって、標準色を表す第１標準色信号であり、インク総量制限条件が非適用の第１標準色信号から、インク総量制限条件が適用された第２標準色信号への変換関係を規定する第１テーブルを作成する第１テーブル作成工程と、第１テーブルから出力される第２標準色信号から、第２標準色信号、及び複数の標準色信号が混合された特色信号を一種類以上含む第１拡張色信号であり、インク総量制限条件が適用された第１拡張色信号への変換関係を規定した第２テーブルを作成する第２テーブル作成工程と、第２テーブルから出力される第１拡張色信号を、第１拡張色信号に対応するデバイス非依存色空間における色信号へ変換することにより求められた、デバイス依存色空間における色信号からデバイス非依存色空間における色信号への変換関係に基づいて、第１拡張色信号のうち第２標準色信号に対応するデバイス非依存色空間における色信号から、デバイス依存色空間における色信号への変換関係を規定した第３テーブルを作成する第３テーブル作成工程と、第３テーブルにより規定された変換関係、及び第２テーブルにより規定された変換関係を用いて、第１拡張色信号のうち第２標準色信号に対応するデバイス非依存色空間における色信号から、デバイス依存色空間における複数の標準色信号が混合された特色信号を一種類以上含む第２拡張色信号への変換関係を規定するカラープロファイルである第４テーブルを作成する第４テーブル作成工程と、を含むカラープロファイル作成方法を提供する。
【手続補正３】
【補正対象書類名】明細書
【補正対象項目名】００２５
【補正方法】変更
【補正の内容】
【００２５】
第３態様によれば、標準色を特色へ置き換える際に、特色においてもインク総量制限条件が満たされる。
【手続補正４】
【補正対象書類名】明細書
【補正対象項目名】００３２
【補正方法】変更
【補正の内容】
【００３２】
第７態様は、第６態様に記載のカラープロファイル作成方法において、関数ｇ（Ｈ）は、予め決められた第１色相値以上第２色相値以下の領域では、ｇ（Ｈ）＝１となる関数である。
【手続補正５】
【補正対象書類名】明細書
【補正対象項目名】００４５
【補正方法】変更
【補正の内容】
【００４５】
第１０態様において、関数ｇ（Ｈ）は、予め決められた第１色相値以上第２色相値以下の領域では、ｇ（Ｈ）＝１となる関数である態様が好ましい。
【手続補正６】
【補正対象書類名】明細書
【補正対象項目名】０１１１
【補正方法】変更
【補正の内容】
【０１１１】
色相の値がＨ１以上Ｈ２未満の場合は色相Ｈの値の増加に従い置換比率g（Ｈ）が増加する。色相の値がＨ２以上Ｈ３以下の場合、すなわち、第１色相値以上第２色相値以下の場合は、置換比率g（Ｈ）を１とし、オレンジインクのみが用いられる。色相の値がＨ３を超えＨ４以下の場合は色相Ｈの値の増加に従い置換比率g（Ｈ）が減少する。色相の値がＨ４を超える場合は置換比率g（Ｈ）を０とし、マゼンタインク、及びイエローインクからオレンジインクへの置き換えを行わず、マゼンタインク、及びイエローインクが用いられる。
【手続補正７】
【補正対象書類名】明細書
【補正対象項目名】０１２４
【補正方法】変更
【補正の内容】
【０１２４】
第３テーブル作成工程Ｓ３０８では、まず、ＣＭＹＫＯＧＶチャートの各パッチが表すＣＭＹＫＯＧＶ信号からＬａｂ値への変換関係を示す順変換テーブルが作成される。そして、ＣＭＹＫチャートの各パッチが表すＣＭＹＫ信号からＬａｂ値への変換関係から、逆変換演算を用いてＬａｂ値からＣＭＹＫ信号への変換関係を示す第３テーブルが作成される。
【手続補正８】
【補正対象書類名】明細書
【補正対象項目名】０１３４
【補正方法】変更
【補正の内容】
【０１３４】
上記の如く構成されたカラープロファイル作成方法によれば、デバイス非依存色空間の信号値からデバイス依存色空間の信号値への変換関係を規定した第３テーブル、及びインク総量制限が適用されたＣＭＹＫ信号からインク総量制限が適用されたＣＭＹＫＯＧＶ信号への変換関係が規定された第２テーブルを用いて、インク総量制限が適用されたＣＭＹＫ信号に対応するデバイス非依存色空間におけるＬａｂ値から、デバイス依存色空間におけるインク総量制限が適用されたＣＭＹＫＯＧＶ信号への変換関係が規定される第４テーブルが作成されるので、インク総量制限が適用されたＣＭＹＫＯＧＶ信号についてカラープロファイルを作成するにあたり、インク総量制限条件を満たさない領域のＬａｂを予測するといった複雑な演算を行う必要がない。
【手続補正９】
【補正対象書類名】明細書
【補正対象項目名】０１４８
【補正方法】変更
【補正の内容】
【０１４８】
図１２は図１１に示した第１テーブル作成部５０２の説明図である。第１テーブル作成部５０２は、インク総量上限値１０２、信号値インク量コンバータ１０４、インク量信号値コンバータ１０６を用いて、インク総量の制限がされていないＣＭＹＫ信号１０７をインク総量の制限がされたＣＭＹＫ信号へ変換する変換関係を規定した第１テーブル１０
８を作成する。
【手続補正１０】
【補正対象書類名】明細書
【補正対象項目名】０１６９
【補正方法】変更
【補正の内容】
【０１６９】
本実施形態では、四色の標準色から特色を含む七色のカラープロファイルを作成する態様を例示したが、三色の標準色に基づくカラープロファイルを作成する態様も可能である。また、変換後の色数は少なくとも一色の特色を含み、標準色の色数を超える色数
であればよい。